【事件の表示】
　特許第２９２６６１３号「ミシンの情報表示装置」の特許に対する特許異議の申立てについて、次のとおり決定する。
【結　論】
　訂正を認める。
　特許第２９２６６１３号の請求項１ないし６、請求項７ないし８、請求項９ないし１３、請求項１４ないし１５、請求項１６ないし１７、及び請求項１８ないし１９に記載された発明の特許を維持する。
【理　由】
１．手続の経緯
　本件特許２９２６６１３号は、昭和６２年１１月１３日に出願した特願昭６２−２８８１６２号の一部を平成８年１２月２６日に新たな特許出願としたものであって、平成１１年５月１４日にその特許の設定登録がなされ、その後、笹野章嘉より特許異議の申立てがなされ、取消理由通知がなされ、その指定期間内である平成１２年６月１９日に異議意見書の提出とともに訂正請求がなされたものである。
　
２．訂正の適否についての判断
(1) 訂正の内容
  特許権者は、本件特許の明細書を訂正明細書の記載のとおりに訂正することを求めており、その具体的内容は以下のＡないしＮのとおりである。
Ａ．特許請求の範囲の請求項１、請求項７、請求項９、請求項１９の記載中
　「前記ミシンの説明情報を表示器に表示するように切換える切換え操作手段とを備え」を
　「前記縫製模様を表示器に表示するモードから前記ミシンの説明情報を表示器に表示するモードに切換える切換え操作手段とを備え」とそれぞれ訂正する。
Ｂ．特許請求の範囲の請求項９と請求項１４の記載中
　「前記縫製模様を選択する模様選択操作手段」を
　「縫製模様を選択する模様選択操作手段」とそれぞれ訂正する。
Ｃ．特許請求の範囲の請求項９の記載中
　「前記切換え手段の操作により前記表示器で前記説明文と画像によって前記ミシンの一般的な使い方に関する表示を行い、前記模様選択操作手段により選択された縫製模様を表示する」を
　「前記切換え操作手段の操作により前記表示器で前記説明文と画像によって前記ミシンの一般的な使い方に関する表示を行い、前記模様選択操作手段の操作により選択された縫製模様を表示する」と訂正する。
Ｄ．特許請求の範囲の請求項１０の記載
　「前記スタートストップのための操作手段より前記針棒から離れた位置に設けられ切換え操作手段を備えることを特徴とする請求項９記載のミシンの情報表示装置。」を
　「前記切換え操作手段を前記スタートストップのための操作手段より前記針棒から離れた位置に備えることを特徴とする請求項９記載のミシンの情報表示装置。」と訂正する。
Ｅ．特許請求の範囲の請求項１４の記載中
　「縫製模様を表示するミシンの情報装置」を
　「縫製模様を表示するミシンの情報表示装置」と訂正する。
Ｆ．特許請求の範囲の請求項１４の記載中
　「異常に関する説明文と画像」を
　「異常に関する説明文と説明文の理解を容易にするための画像」と訂正する。
Ｇ．特許請求の範囲の請求項１６の記載中
　「画面の切換え全体に関わる情報或いは、前記表示器に現在表示されている画面の順位の少なくとも一方を表示する画面情報表示手段」を
　「画面の切換え全体に関わる情報及び前記表示器に現在表示されている画面の順位に関わる情報を表示する画面情報表示手段」と訂正する。
Ｈ．特許請求の範囲の請求項１９の記載中
　「前記縫製模様を縫製する際の糸調子を設定するためにの糸調子設定手段と、前記縫製模様を縫製する際の針振り量で設定するためにの針振り量設定手段とを備え」を
　「前記縫製模様を縫製する際の糸調子を設定するための糸調子設定手段と、前記縫製模様を縫製する際の針振り量を設定するための針振り量設定手段とを備え」と訂正する。
Ｉ．特許請求の範囲の請求項１７を削除する。
Ｊ．特許請求の範囲の請求項１８の記載中
　「１８．……」、「……請求項１６または１７の何れかに記載の」をそれぞれ
　「１７．……」、「……請求項１６に記載の」と訂正する。
Ｋ．特許請求の範囲の請求項１９の記載中
  「１９．……」を
  「１８．……」と訂正する。
Ｌ．特許請求の範囲の請求項２０の記載中
　「２０．……」、「……請求項１９に記載の」を
　「１９．……」、「……請求項１８に記載の」と訂正する。
Ｍ．明細書の段落【0010】【0011】【0018】【0019】【0022】【0023】【0024】【0027】【0028】【0030】【0031】【0033】【0034】【0035】【0036】【0097】【0100】【0102】【0104】【0105】【0106】の記載を、上記の訂正により訂正された特許請求の範囲の記載に整合するように訂正する。
Ｎ．明細書の段落【0032】【0103】の記載を削除する。
　
(2) 訂正の目的の適否、新規事項の有無及び特許請求の範囲の拡張・変更の有無
  訂正Ａは、特許請求の範囲の請求項１、７、９、１９に記載された発明を構成する「切換え操作手段」を「縫製模様を表示器に表示するモードから前記ミシンの説明情報を表示器に表示するモードに切換える切換え操作手段」と特定するものであり、訂正Ｆは、特許請求の範囲の請求項１４に記載された発明に係る「画像」を「説明文の理解を容易にするための画像」と特定するものであり、訂正Ｇは、特許請求の範囲の請求項１６に記載された発明を構成する画面表示手段を、画面の切換え全体に関わる情報及び表示器に現在表示されている画面の順位の少なくとも一方を表示するものからその両者を表示するものと特定するものであり、訂正Ｉは、上記の訂正Ｇによって特許請求の範囲の請求項１６が請求項１７に記載された実施態様項に相当するものに特定されたことにより請求項１７を削除するものであるので、訂正Ａ、Ｆ、Ｇ、Ｉはいずれも、特許請求の範囲の減縮に該当する。
　訂正Ｂ、Ｈは明らかな誤記を訂正するものであるので、いずれも、誤記の訂正に該当する。　
　訂正Ｃ、Ｄ、Ｅは、特許請求の範囲の明りょうでない記載を明りょうにしたものであり、訂正Ｊ、Ｋ、Ｌは、上記訂正Ｉによる請求項の削除に伴い、ズレの生じる請求項の番号を訂正するものであり、訂正Ｍは、上記特許請求の範囲の訂正に伴って生じた明細書の明りょうでない記載を訂正するものであり、訂正Ｎは、上記訂正Ｉによる請求項の削除に伴い、対応する明細書の記載を削除するものであるから、訂正Ｃ、Ｄ、Ｅ、Ｊ、Ｋ、Ｌ、Ｍ、Ｎはいずれも、明りょうでない記載の釈明に該当する。
　そして、訂正ＡないしＭはいずれも、願書に添付した出願当初の明細書に記載された事項の範囲内のものであり、しかも、実質上特許請求の範囲を拡張又は変更するものではない。
 　
(3) 独立特許要件の判断
ａ）訂正後の発明の要旨
  訂正後の請求項１ないし６、請求項７ないし８、請求項９ないし１３、請求項１４ないし１５、請求項１６ないし１７、請求項１８ないし１９に記載された発明（以下、それぞれ「第１発明、第２発明、第３発明、第４発明、第５発明、第６発明」、という。）の要旨は、訂正明細書及び図面の記載からみて、それぞれ、その特許請求の範囲の請求項１、７、９、１４、１６、１８に記載された次のとおりのものと認める。
　「１．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　前記縫製模様を表示器に表示するモードから前記ミシンの説明情報を表示器に表示するモードに切換える切換え操作手段とを備え、
　前記模様選択操作手段の操作により選択された縫製模様を表示し、前記切換え操作手段の操作により前記表示器で前記説明文と画像によって前記ミシンの一般的な使い方に関する表示を行うことを特徴とするミシンの情報表示装置。
　７．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　前記模様選択操作手段によって選択された縫製模様を縫製するために上下動する針棒と、
　前記針棒の設けられた近傍のスタートストップのための操作手段と、
　前記スタートストップのための操作手段より前記針棒から離れた位置に設けられ、前記縫製模様を表示器に表示するモードから前記ミシンの説明情報を表示器に表示するモードに切換える切換え操作手段とを備え、
　前記切換え操作手段の操作により前記表示器で前記説明文と画像によって前記ミシンの一般的な使い方に関する表示を行い、前記模様選択操作手段の操作により選択された縫製模様を表示することを特徴とするミシンの情報表示装置。
　９．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、複数の画面にわたるミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　前記模様選択操作手段によって選択された縫製模様を縫製するために上下動する針棒と、
　前記針棒の設けられた近傍のスタートストップのための操作手段と、
　前記縫製模様を表示器に表示するモードから前記ミシンの説明情報を表示器に表示するモードに切換える切換え操作手段と、
　前記スタートストップのための操作手段より前記針棒から離れた位置に設けられ、前記複数の画面にわたるミシンの説明情報の画面を切換える頁切換え手段とを備え、
　前記切換え操作手段の操作により前記表示器で前記説明文と画像によって前記ミシンの一般的な使い方に関する表示を行い、前記模様選択操作手段の操作により選択された縫製模様を表示することを特徴とするミシンの情報表示装置。
　１４．ミシンに関する情報を格納した情報メモリと、
　前記情報メモリに格納された複数の説明情報の１つを択一的に選択する選択手段と、
　前記ミシンに関する情報を表示する為の表示器と、
　縫製模様を選択する模様選択操作手段と、
　前記表示器で、前記模様選択操作手段により選択された縫製模様を表示するミシンの情報表示装置であって、
　前記ミシンの異常を検出する検出手段と、
　前記ミシンに異常が検出された場合、異常に関する説明文と説明文の理解を容易にするための画像を前記表示器に表示するように制御する制御手段とを備えることを特徴とするミシンの情報表示装置。
　１６．ミシンに関わる情報を表示するための表示器と、
　ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも１つ以上に関わる説明文及び画像の情報を格納した情報メモリと、
　前記情報メモリに格納された情報を表示するために択一的に選択する選択手段とを備えるミシンの情報表示装置であって、
　前記選択手段によって選択された情報が表示器の多数画面にわたる場合、その画面を切換える画面切換え手段と、
　画面の切換え全体に関わる情報及び前記表示器に現在表示されている画面の順位に関わる情報を表示する画面情報表示手段とを備えることを特徴とするミシンの情報表示装置。
　１８．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　前記縫製模様を表示器に表示するモードから前記ミシンの説明情報を表示器に表示するモードに切換える切換え操作手段と、
　前記縫製模様を縫製する際の糸調子を設定するための糸調子設定手段と、
　前記縫製模様を縫製する際の針振り量を設定するための針振り量設定手段とを備え、
　前記模様選択操作手段の操作により前記表示器で選択された縫製模様の形象を糸調子の設定状況及び針振りの設定状況と共に表示し、前記切換え操作手段の操作により前記表示器で前記説明文と画像によって前記ミシンの一般的な使い方に関する表示を行うことを特徴とするミシンの情報表示装置。」
　
ｂ）当審が通知した取消理由の概要
　当審が通知した取消理由の概要は、第１発明ないし第４発明は、それぞれ、引例２に記載された技術的事項から把握される発明（以下、「引例発明」という。）に、引例１、引例３及び引例５に記載された技術手段と、周知の技術手段とを適用することによって、当業者が容易に想到しうる発明であり、第５発明は、引例発明に、引例１、引例３に記載された技術手段と、周知の技術手段とを適用することによって、当業者が容易に想到しうる発明であり、 さらに、第６発明は、引例発明に、引例１、引例３ないし引例５に記載された技術手段と、周知の技術手段とを適用することによって、当業者が容易に想到しうる発明であるので、第１発明ないし第６発明に係る特許は、いずれも、特許法第２９条第２項の規定により特許を受けることができないものであって、その特許は取り消すべきである、というにある。
　
ｃ）引用刊行物
　当審が通知した取消理由で引用した引例１ないし５には概略以下のようなことが記載されている。
（引例１）
　特開昭５９−１４４４７７号公報（昭和５９年８月１８日公開）
・記載１（３頁右上欄１８行ないし右下欄５行目）
  〔つぎに「ミシン異常」について説明要求しているかどうかの言語による質問が言語出力装置（６）から発せられる。……「ミシンの使い方」についてかどうかの質問に対して、（Ｙ）のときは説明１が言語出力される。この説明１には、押えの使い方、糸、布、針、に関する事項や下糸の巻き方等の説明がなされる。……「ミシン異常」についてかどうかの質問に対して、（Ｙ）が指定されると、「音または回転速度異常」についてかどうかの質問に対して、（Ｙ）のときは、説明６によって釜の油切れとか、釜や送り歯に糸くずがからまつたときの現象や処理などの説明がなされる。〕
（引例２）
　特開昭５６−１０２２７６号公報（昭和５６年８月１５日公開）
・記載２−１（特許請求の範囲第４項）
　「前記予め定められた縫製作業を開始する前に、作業者が行うべき多数の準備作業の内容を作業者に対して指示するために、ミシンの前面側に配置された指示手段と、前記多数の準備作業の内容をそれぞれ表わす多数の作業指示情報を記憶する記憶手段と、前記指示手段により指示されている準備作業の内容を変更するために手動操作可能な指示変更操作手段と、その指示変更操作手段の各操作に応答して前記多数の作業指示情報の各々を予め定められた順序で前記記憶手段から引出すとともに、最後の作業指示情報が引出された後の前記指示変更操作手段の操作に応答して前記駆動回路の動作を許可する第１の動作モードと、その作業指示情報の引出動作を行わずに前記駆動回路の動作を許可する第２の動作モードとを有し、その両動作モードのいずれか一方に選択的に設定され得る制御手段と、その制御手段の動作モードを選択するために手動操作可能なモード選択操作手段と、前記第１の動作モードにある制御手段により引出された作業指示情報に従って準備作業の内容が指示されるように、前記指示手段を作動させる指示作動手段とからなる作業内容指示装置。」
・記載２−２（３頁右上欄末行ないし左下欄６行目）
　「ミシン１全体を示す絵１４が表示され、その絵１４には縫製開始前に行う作業の個所（この実施例では６個所）と対応する個所に発光ダイオードＤ１〜Ｄ６が設けられ、作業する個所が同各ダイオードＤ１〜Ｄ６の点灯によって指示されるようになっている。」
・記載２−３（３頁左下欄１２ないし１６行目）
　「キャラクタデイスプレイ１５は９個のドットキャラクタ表示素子１５ａが横一列に配列されており、カタカナ、アルファベット、記号、数字等が横一列に９個文字として光学表示できるようになっている。」
・記載２−４（３頁右下欄５ないし１１行目）
　「同パネル１９の右側には左右一対の自動復帰型の模様選択スイッチ２０ａ，２０ｂが設けられている。そして、この左右一対の模様選択スイッチ２０ａ，２０ｂを適宜に押すと、その選択する縫目模様の形象１８がその上部にある前記発光ダイオードＤ１〜Ｄ６の点灯によって指示され、その縫目模様の縫製が可能となる。」
・記載２−５（５頁左下欄１２ないし１８行目）
　〔作業内容指示装置３４のキャラクタデイスプレイ１５に「イト、トオシタカ？」の文字を光学表示させて作業者に上糸を縫針９に通すように指示するとともに、前記作業個所表示装置３３は前記ミシン１全体の絵１４に設けた発光ダイオードＤ１を点灯させてその作業個所を指示する。〕
（引例３）
　実願昭５６−１０８４１３号（実開昭５８−１４８６７号公報、昭和５８年１月２９日公開）のマイクロフィルム
・記載３（６頁１３行目ないし７頁９行目）
　「前記脚柱部３ａの前面には光学表示パネルとしての液晶表示装置（以下ＬＣＤという）１０が設けられ、縫目模様形成前に必要とされる縫製準備作業の内容を図形で表示する。……スピーカ１５は前記中間部３ｂの底部内面に配設され、前記縫製準備作業の内容を音声にて作業者に知らせるようになっている。」
（引例４）
　特開昭５９−７７８８７号公報（昭和５９年５月４日公開）
・記載４（３頁右下欄１３ないし１８行目）
　「部分７１は３つの下部部分７２，７３，７４（第３図）を有し、そのうち下部部分７２はその都度調整されるジグザグ幅……をｍｍで示し、下部部分７３は、その都度調整される送り長さをｍｍで示し、そして第３の下部部分７４は、模様の長さをｍｍで示す。」
（引例５）
　特開昭６２−１０１２８３号公報（昭和６２年５月１１日公開）
・記載５（３頁左下欄１９行目ないし第４頁左上欄１行目）
　〔上記内部メモリに格納されている各縫目模様を選択するときには、第２図に示すように切換スイッチ６で「内部」を選択するとともに……選択された縫目模様のコード番号が液晶表示器４に表示され、この状態で起動停止押釦９をＯＮに切換えることによりその縫目模様についての縫製が出来るようになっている。
　上記各メモリカセット１の外部メモリ内に格納されている各縫目模様を選択するときには、切換スイッチ６で「外部」を選択するとともに所望のメモリカセット１をミシン本体のカセット装着部１０に装着し……このようにして液晶表示器４に表示された所望の縫目模様を選択し表示させた状態で起動停止押釦９をＯＮに切換えることによりその縫目模様についての縫製が出来るようになっている。〕
　
ｄ）対比・判断
（第１発明について）
　引例発明の「多数の準備作業の内容をそれぞれ表わす多数の作業指示情報」は、第１発明の「使い方の為の操作手順の説明文と説明文の理解を容易にする為の情報」に相当し、以下同様に、
　「作業指示情報を記憶する記憶手段」は「ミシンの説明情報を、格納した情報メモリ」に、
　「指示変更操作手段」は「選択手段」に、
　「指示動作手段」は「表示制御手段」に、
　「キャラクタデイスプレイ」は「ドットパターンで表示する為の表示器」に
　それぞれ相当する。
　そこで、引例発明と第１発明とを対比すると、引例発明は、第１発明の「使い方の為の操作手順の説明文と説明文の理解を容易にする為の情報を含む、ミシンの説明情報を、格納した情報メモリと、前記情報メモリに格納された複数の説明情報の１つを選択する選択手段と、前記選択手段で選択された情報をドットパターンで表示する為の表示器と、前記選択手段により選択された情報を情報メモリから読出し表示器に出力する表示制御装置と、縫製模様を選択する模様選択操作手段と、を備えることを特徴とするミシンの情報表示装置」なる構成は備えているが、第１発明が備えている下記の構成ＡないしＤを備えていない。
・構成Ａ
  「複数種類に分類されたミシンの説明情報の１つであるミシンの一般的な使い方の説明情報であって、複数の説明情報の１つを択一的に選択する」即ち、複数存在するミシンの情報のなかから、ミシンの一般的な使い方の説明情報を選択する構成。
・構成Ｂ
  「複数種類に分類されたミシンの説明情報、その説明情報は複数の副分類に分類され、複数の説明情報の１つを択一的に選択するとともに、その選択された説明情報に含まれる複数の副分類の１つを択一的に選択する選択手段」即ち、情報を、主分類、副分類の２階層に分類し、主分類から１つを択一的に選択し、さらに、副分類から１つを択一的に選択して所望の情報を選択する構成。
・構成Ｃ
  「その複数の副分類の各々には、使い方の為の操作手順の説明文と説明文の理解を容易にする為の画像との情報を含む、表示器で前記説明文と画像によってミシンの一般的な使い方に関する表示を行う」即ち、表示情報を、説明文と説明文の理解を容易にする画像とした構成。
・構成Ｄ
  「縫製模様を表示器に表示するモードからミシンの説明情報を表示器に表示するモードに切換える切換え操作手段とを備え、模様選択操作手段の操作により選択された縫製模様を表示し、前記切換え操作手段の操作により前記表示器で説明文と画像によってミシンの一般的な使い方に関する表示を行う」即ち、表示器に表示される情報を、模様選択操作手段の情報にするか、ミシンの説明情報にするかを切換える手段を備えて表示器を兼用する構成。
  ところで、構成Ａは引例１に記載されており（記載１参照）、構成Ｂは一般の情報管理手段として周知の技術手段であり、構成Ｃに関連する技術として、引例３には、選択された模様の準備作業の内容に関する説明を音声で知らせ、且つ、その説明の理解を容易にする画像を液晶表示器に表示することが記載されている（記載３参照）。
　しかし、構成Ｄに関連する技術として、引例５には、液晶表示器に表示させる情報を、内部メモリに格納された模様情報とするか、外部メモリカセットに格納された模様情報とするかを切換える切換えスイッチを設けることは記載されている（記載５参照）が、切換える対象がいずれも縫目模様（縫製模様）であり、構成Ｄのように縫製模様とミシンの説明情報とを切換えるものではない。
  したがって、引例５には、構成Ｄの記載はなく、これを示唆する記載もない。
　さらに、引例２（引例発明）にもモード切換えに関する記載がある（記載２−１後半参照）が、何れのモードでも模様選択が表示されるので構成Ｄとはいえない。
　また、その他の引例（引例１、引例３、引例４）にも、構成Ｄは記載されていない。
　そして、第１発明は、構成Ｄを備えることにより「選択手段による情報の選択により、ミシンの使い方に関する一般的なインストラクション情報が表示器に表示されるので、ミシンの使い方に関する情報をその都度使用説明書を取り出して捜さなくてもよいので、ミシンの操作性及び作業能率が向上する。その表示器で縫製模様を表示するので、別途の表示器を備える必要が無い。」（以下、「効果Ｄ」という、訂正明細書段落【0088】参照。）との効果を奏する。
　さらに、引例５に記載された技術手段は前述したように、切換える対象物が構成Ｄとは異なるので、効果Ｄを期待して引例発明にこれを適用することも、当業者が容易に想到しうる事項とはいえない。
  したがって、第１発明は、引例発明に、引例１、引例３及び引例５に記載された技術手段と、周知の技術手段とを適用することによって、当業者が容易に想到しうる発明ということはできない。
（第２発明について）
　第２発明は、第１発明の構成にさらに、針棒（以下「構成Ｅ」という。）、スタートストップ操作手段（以下、「構成Ｆ」という。）、切換え手段の配置位置（以下、「構成Ｇ」という。）に関する構成を限定した発明である。
　そして、構成Ｅ、Ｆは引例２に記載されており、構成Ｇは当業者が必要に応じて任意に選択しうる設計上の事項にすぎないといえる。
  しかし、第２発明も構成Ｄを備えているので、前記（第１発明について）の項で述べた理由により、引例発明に、引例１、引例３及び引例５に記載された技術手段と、周知の技術手段とを適用することによって、当業者が容易に想到しうる発明ということはできない。
（第３発明について）
  第３発明は、第１発明の構成にさらに、構成Ｅ、構成Ｆ、頁切換え手段とその配置位置（以下、「構成Ｈ」という。）を限定した発明である。
　そして、構成Ｅ、Ｆ、は引例２に記載されており、構成Ｈは当業者が必要に応じて任意に選択しうる設計上の事項にすぎないといえる。
  しかし、第３発明も構成Ｄを備えているので、前記（第１発明について）の項で述べた理由により、引例発明に、引例１、引例３及び引例５に記載された技術手段と、周知の技術手段とを適用することによって、当業者が容易に想到しうる発明ということはできない。
（第４発明について）
  引例発明と第４発明とを対比すると、引例発明は、第４発明の「ミシンに関する情報を格納した情報メモリと、前記情報メモリに格納された複数の説明情報の１つを選択する選択手段と、前記模様選択操作手段により選択された縫製模様を表示するミシンの情報表示装置であって、前記ミシンに関する情報を表示する為の表示器と、縫製模様を選択する模様選択操作手段と、を備えることを特徴とするミシンの情報表示装置。」なる構成は備えているが、第４発明が備えている下記の構成Ａ’、Ｃ’、Ｄ’を備えていない。
・構成Ａ’
  「情報メモリに格納された複数の説明情報の１つを択一的に選択する」即ち、選択手段が択一的である構成。
・構成Ｃ’
  「ミシンの異常を検出する検出手段と、前記ミシンに異常が検出された場合、異常に関する説明文と説明文の理解を容易にするための画像を前記表示器に表示するように制御する制御手段とを備える」即ち、異常の表示内容を、説明文と説明文の理解を容易にする画像情報とした構成。
・構成Ｄ’
  「ミシンに関する情報（説明情報）を表示する為の表示器と、前記表示器で、前記模様選択操作手段により選択された縫製模様を表示するミシンの情報表示装置であって、前記ミシンに異常が検出された場合、前記表示器に表示するように制御する制御手段とを備える」即ち、ミシンに関する情報（説明情報）、縫製模様、異常に関する情報の３者を表示する表示器を兼用するようにした構成。
　ところで、構成Ａ’は引例１に記載されており（記載１参照）、構成Ｃ’のミシンの異常を検出する検出手段を備えることと、ミシンに異常が検出された場合、異常に関する情報を報知することは、引例１（記載１参照）に記載されており、構成Ｃ’の説明文と説明文の理解を容易にするための画像を表示器に表示するように制御する制御手段とを備えることに関連する技術として、引例３には、選択された模様の準備作業の内容に関する説明を音声で知らせ、且つ、その説明の理解を容易にする画像情報を液晶表示器に表示することが記載されている（記載３参照）。
　しかし、構成Ｄ’に関しては、前記（第１発明について）の項で述べたのと同じような理由により引例１ないし５に構成Ｄ’は記載されておらず、これを示唆する記載もない。
　そして、第４発明は、構成Ｄ’を備えることにより上記の効果Ｄを奏する。
  したがって、第４発明は、引例発明に、引例１、引例３及び引例５に記載された技術手段を適用することによって、当業者が容易に想到しうる発明ということはできない。
（第５発明について）
  引例発明と第５発明とを対比すると、引例発明は、第５発明の「ミシンに関わる情報を表示するための表示器と、ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等のうち、少なくとも１つ以上に関わる情報を格納した情報メモリと、前記情報メモリに格納された情報を表示するミシンの情報表示装置。」なる構成は備えているが、第５発明が備えている下記構成Ｂ’、Ｃ”、Ｊを備えていない。
・構成Ｂ’
　「ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類の情報メモリ、前記情報メモリに格納された情報を表示するために択一的に選択する選択手段とを備えるミシンの情報表示装置」即ち、情報を、主分類、副分類の２階層に分類し、副分類から１つを択一的に選択して所望の情報を選択する構成。
・構成Ｃ”
　「説明文及び画像の情報を格納した情報メモリ」即ち、格納（表示）情報を、説明文と説明文の理解を容易にする画像情報とした構成。
・構成Ｊ
  「選択手段によって選択された情報が表示器の多数画面にわたる場合、その画面を切換える画面切換え手段と、画面の切換え全体に関わる情報及び前記表示器に現在表示されている画面の順位に関わる情報を表示する画面情報表示手段」即ち、複数画面にわたる情報を表示する際、画面の切換え全体に関わる情報及び表示器に現在表示されている画面の順位を表示する画面情報を表示する表示手段。
　ところで、構成Ｂ’は一般の情報管理手段として周知の技術手段を単にミシンに適用したにすぎず、構成Ｃ”に関連する技術として、引例３には、選択された模様の準備作業の内容に関する説明を音声で知らせ、且つ、その説明の理解を容易にする画像情報を液晶表示器に表示することが記載されている。
　しかし、構成Ｊについては、これに関連する技術として、パソコン等の画面表示手段において複数画面にわたる情報を表示する際、画面の切換え全体に関わる情報或いは、前記表示器に現在表示されている画面の順位の少なくとも一方を表示する画面情報表示手段が周知であるとしても、画面の切換え全体に関わる情報と、表示器に現在表示されている画面の順位との両方を表示することは周知とはいえず、まして、ミシンの使用説明書の情報（多数画面にわたる可能性が大きい）を表示させる際に構成Ｊを採用することは、当業者が容易に想到しうる事項とはいえない。
  そして、第５発明は、構成Ｊを備えることにより「ミシンの使用者は情報がどの程度あるのか、或は、どこまで読んだかを把握することができる。」という明細書記載の効果を奏する。
  したがって、第５発明は、引例発明に、引例１、引例３記載された技術手段と周知の技術手段を適用することによって、当業者が容易に想到しうる発明ということはできない。
（第６発明について）
　第６発明は、第１発明の構成にさらに、糸調子設定手段と針振り量設定手段（以下、「構成Ｋ」という。）、模様の形象を糸調子設定状況及び針振り量設定状況と共に表示する（以下、「構成Ｌ」という。）、ことを限定した発明である。
　そして、構成Ｋに関連する技術として、振り幅量調節つまみを設けることが引例２に記載（３頁右上欄２ないし３行目参照）され、構成Ｌに関連する技術として、引例４には、選択された模様の番号とその模様に関するジグザグ幅（針振り量）を表示することが記載（記載４参照）されている。
  しかし、第６発明も構成Ｄを備えており、引例４にも構成Ｄについての記載も示唆もないので、前記（第１発明について）の項で述べたと同様の理由により、引例発明に、引例１、引例３ないし引例５に記載された技術手段と、周知の技術手段とを適用することによって、当業者が容易に想到しうる発明ということはできない。
　したがって、第１発明ないし第６発明は、いずれも特許法第２９条第２項の規定により、出願の際独立して特許を受けることができないものであるとはいえず、また他に第１発明ないし第６発明を、独立して特許を受けることができないとする理由も発見しない。
　
(5) まとめ
　以上のとおりであるから、上記訂正は、特許法等の一部を改正する法律（平成６年法律第１１６号）附則第６条第１項の規定によりなお、従前の例によるとされる、特許法第１２０条の４第２項、同条第３項で準用する同法第１２６条第２ないし４項の規定に適合するので、当該訂正を認める。
　
３．特許異議の申立てについての判断
（１） 本件発明の要旨
  本件発明の要旨は、前記の「２．訂正の適否についての判断(3) 独立要件の判断ａ）訂正後の発明の要旨」に記載した、訂正明細書の特許請求の範囲第１項、第７項、第９項、第１４項、第１６項、第１８項に記載されたとおりのものと認める。
　
（２）申立ての理由の概要
　申立人は、証拠として、甲第１号証ないし甲第５号証（それぞれ、当審が通知した取消理由で引用した引例１ないし引例５に相当）、甲第６号証（特開昭６０−１９８１８８号公報）、甲第７号証（特開昭５６−６６２８７号公報）、甲第８号証（特開昭５５−１５５６８７号公報）、甲第９号証（特開昭６０−６０８８９号公報）、甲第１０号証（特開昭５７−１８０９９５号公報）、および、甲第１１号証（実開昭６０−３０７７６号公報）を提出し、
　第１発明は、甲第１号証、甲第３号証、甲第５号証に記載された発明と、周知の技術手段（例えば、甲第４号証、甲第５号証、甲第１１号証参照）とに基づき、
　第２発明は、甲第１号証、甲第２号証、甲第３号証、甲第５号証に記載された発明と、周知の技術手段（例えば、甲第４号証、甲第５号証、甲第１１号証参照）とに基づき、
　第３発明は、甲第１号証、甲第２号証、甲第３号証、甲第５号証に記載された発明と、周知の技術手段（例えば、甲第４号証、甲第５号証、甲第１１号証参照）とに基づき、
　第４発明は、甲第１号証、甲第２号証、甲第３号証に記載された発明に基づき、
　第５発明は、甲第１号証、甲第６号証に記載された発明に基づき、
　第６発明は、甲第１号証ないし甲第５号証に記載された発明に基づき、
　いずれも、当業者が容易に想到しうる発明であるから、第１発明ないし第６発明は、特許法第２９条第２項の規定により特許を受けることができないものであり、その特許は、特許法第１１３条第２号の規定に該当し取り消されるべきものである旨主張している。
　
（３） 証拠
　異議申立人の提出した甲第１号証ないし甲第５号証に記載された事項は、前記「２．訂正の適否についての判断(3) 独立特許要件の判断ｃ）引用刊行物」の項で述べたとおりであり、甲第６号証には、切換えスイッチにより、第１の装飾模様群の形象が掲記された第１の表示板と、第２の装飾模様群の形象が掲記された第２の表示板とを選択可能としたミシンの表示装置が、甲第７号証ないし甲第１１号証にはミシンの周知、慣用の技術が記載されている。　
　
（４）判断
　第１発明ないし第３発明、第６発明の各々が備えている構成Ｄが、甲第１号証ないし甲第５号証に記載も示唆もされていないことは、上記「２．訂正の適否についての判断(3)独立特許要件の判断ｄ）対比・判断」において述べたとおりであり、さらに、甲第６号証ないし甲第１１号証を検討しても、そのいずれにも構成Ｄについては記載も示唆もされていない。
　そして、第１発明ないし第３発明、第６発明が構成Ｄを備えていることにより明細書記載の効果Ｄを奏することも上記「対比・判断」において述べたとおりであるので、第１発明ないし第３発明、第６発明は、甲第１号証ないし甲第１１号証に記載された発明をいかように組み合わせても、上記「対比・判断」で述べたと同様の理由により、それらの記載に基づいて当業者が容易に想到しうる発明ということはできない。
　また、第４発明が備えている構成Ｄ’が、甲第１号証ないし甲第５号証に記載も示唆もされていないことは、上記「対比・判断」において述べたとおりであり、さらに、甲第６号証ないし甲第１１号証を検討しても、そのいずれにも構成Ｄ’については記載も示唆もされていない。
　そして、第４発明が構成Ｄ’を備えていることにより、明細書記載の効果Ｄを奏することも上記「対比・判断」において述べたとおりであるので、第４発明も、甲第１号証ないし甲第１１号証に記載された発明をいかように組み合わせても、上記「対比・判断」で述べたと同様の理由により、それらの記載に基づいて当業者が容易に想到しうる発明ということはできない。
　また、第５発明が備えている構成Ｊは、甲第１号証ないし甲第５号証に記載も示唆もされていないことや、パソコンで周知の技術手段が適用困難なことは、上記「対比・判断」において述べたとおりであり、さらに、甲第６号証ないし甲第１１号証を検討しても、そのいずれにも構成Ｊについては記載も示唆もされていない。
　そして、第５発明も、甲第１号証ないし甲第１１号証に記載された発明をいかように組み合わせても、上記「対比・判断」で述べたと同様の理由により、それらの記載に基づいて当業者が容易に想到しうる発明であるとすることはできない。
　
４．むすび
　以上のとおりであるから、特許異議申立ての理由及び証拠によっては、本件請求項１ないし６、請求項７ないし８、請求項９ないし１３、請求項１４ないし１５、請求項１６ないし１７及び請求項１８ないし１９に記載された発明の特許を取り消すことはできない。
　又、他に上記発明の特許を取り消すべき理由を発見しない。
　よって結論のとおり決定する。
【異議決定日】
平成１２年８月１０日（２０００．８．１０）
【訂正の要旨】
訂正の要旨
　特許第２９２６６１３号発明の明細書を訂正請求書に添付した全文訂正明細書のとおりに、即ち、
１．特許請求の範囲の請求項１、請求項７、請求項９、請求項１９の記載中
　「前記ミシンの説明情報を表示器に表示するように切換える切換え操作手段とを備え」を
　「前記縫製模様を表示器に表示するモードから前記ミシンの説明情報を表示器に表示するモードに切換える切換え操作手段とを備え」と
　特許請求の範囲の減縮を目的として、それぞれ訂正する。
２．特許請求の範囲の請求項９と請求項１４の記載中
　「前記縫製模様を選択する模様選択操作手段」を
　「縫製模様を選択する模様選択操作手段」と
　誤記の訂正を目的としてそれぞれ訂正する。
３．特許請求の範囲の請求項９の記載中
　「前記切換え手段の操作により前記表示器で前記説明文と画像によって前記ミシンの一般的な使い方に関する表示を行い、前記模様選択操作手段により選択された縫製模様を表示する」を
　「前記切換え操作手段の操作により前記表示器で前記説明文と画像によって前記ミシンの一般的な使い方に関する表を行い、前記模様選択操作手段の操作により選択された縫製模様を表示する」と
　明りょうでない記載の釈明を目的として、訂正する。
４．特許請求の範囲の請求項１０の記載
　「前記スタートストップのための操作手段より前記針棒から離れた位置に設けられ切換え操作手段を備えることを特とする請求項９記載のミシンの情報表示装置。」を
　「前記切換え操作手段を前記スタートストップのための操作手段より前記針棒から離れた位置に備えることを特徴とる請求項９記載のミシンの情報表示装置。」と
　明りょうでない記載の釈明を目的として、訂正する。
５．特許請求の範囲の請求項１４の記載中　
　「縫製模様を表示するミシンの情報装置」を
　「縫製模様を表示するミシンの情報表示装置」と
　不明りょうな記載の釈明を目的として、訂正する。
６．特許請求の範囲の請求項１４の記載中
　「異常に関する説明文と画像」を
　「異常に関する説明文と説明文の理解を容易にするための画像」と
　特許請求の範囲の減縮を目的として、訂正する。
７．特許請求の範囲の請求項１６の記載中
　「画面の切換え全体に関わる情報或いは、前記表示器に現在表示されている画面の順位の少なくとも一方を表示する画面情報表示手段」を
　「画面の切換え全体に関わる情報及び前記表示器に現在表示されている画面の順位に関わる情報を表示する画面情報表示手段」と
　特許請求の範囲の減縮を目的として、訂正する。
８．特許請求の範囲の請求項１９の記載中
　「前記縫製模様を縫製する際の糸調子を設定するためにの糸調子設定手段と、前記縫製模様を縫製する際の針振り量で設定するためにの針振り量設定手段とを備え」を
　「前記縫製模様を縫製する際の糸調子を設定するための糸調子設定手段と、前記縫製模様を縫製する際の針振り量を設定するための針振り量設定手段とを備え」と
　誤記の訂正を目的として訂正する。
９．特許請求の範囲の請求項１７を特許請求の範囲の減縮を目的として、削除する。
１０．特許請求の範囲の請求項１８の記載中
　「１８．……」、「……請求項１６または１７何れかに記載の」を
　「１７．……」、「……請求項１６に記載の」と
　明りょうでない記載の釈明を目的として、それぞれ訂正する。
１１．特許請求の範囲の請求項１９の記載中
　「１９．……」を　
　「１８．……」と
　明りょうでない記載の釈明を目的として、訂正する。
１２．特許請求の範囲の請求項２０の記載中
　「２０．……」、「……請求項１９に記載の」を
　「１９．……」、「……請求項１８に記載の」と
　明りょうでない記載の釈明を目的として、訂正する。
１３．明細書の段落【００１０】【００１１】【００１８】【００１９】【００２２】【００２３】【００２４】【００２７】【００２８】【００３０】【００３１】【００３３】【００３４】【００３５】【００３６】【００９７】【０１００】【０１０２】【０１０４】【０１０５】【０１０６】の記載を、明りょうでない記載の釈明を目的として、特許請求の範囲の訂正内容に対応させるように訂正する。
１４．明細書の段落【００３２】【０１０３】を、明りょうでない記載の釈明を目的として、特許請求の範囲の請求項１７の削除に対応させるように削除する。
（５４）【発明の名称】
ミシンの情報表示装置
（５７）【特許請求の範囲】
１．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　
前記縫製模様を表示器に表示するモードから
るモードに
　前記模様選択操作手段の操作により選択された縫製模様を表示し、前記切換え操作手段の操作により前記表示器で前記説明文と画像によって前記ミシンの一般的な使い方に関する表示を行うことを特徴とするミシンの情報表示装置。
２．前記表示器によって、上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも２つ以上の副分類からなるミシンの一般的な使い方に関する表示を行うことを特徴とする請求項１記載のミシンの情報表示装置。
３．前記表示器によって、ミシンの説明情報である縫製模様を設定するための表示を行うことを特徴とする請求項１乃至２の何れかに記載のミシンの情報表示装置。
４．前記表示器がミシンに備えられ、前記表示器によってミシンの異常状態を表示することを特徴とする請求項１乃至２の何れかに記載のミシンの情報表示装置。
５．前記表示器がミシンに備えられ、前記表示器によって、ミシンの説明情報である縫製模様を設定するための表示及び、前記ミシンの異常状態の表示を行うことを特徴とする請求項１乃至２の何れかに記載のミシンの情報表示装置。
６．前記表示器が、前記使い方の為の操作手順の説明文と説明文の理解を容易にする為の画像と共に、その使い方の説明における頁の数に関わる表示を行うことを特徴とする請求項１乃至５の何れかに記載のミシンの情報表示装置。
７．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　前記模様選択操作手段によって選択された縫製模様を縫製するために上下動する針棒と、
　前記針棒の設けられた近傍のスタートストップのための操作手段と、
　前記スタートストップのための操作手段より前記針棒から離れた位置に設けられ、
前記縫製模様を表示器に表示するモードから
るモードに
　前記切換え操作手段の操作により前記表示器で前記説明文と画像によって前記ミシンの一般的な使い方に関する表示を行い、前記模様選択操作手段の操作により選択された縫製模様を表示することを特徴とするミシンの情報表示装置。
８．前記ミシンの説明情報が複数画面にわたるものであって、前記スタートストップのための操作手段より前記針棒から離れた位置に設けられ、前記複数の画面にわたるミシンの説明情報の画面を切換える頁切換え手段を備えることを特徴とする請求項７記載のミシンの情報表示装置。
９．複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、複数の画面にわたるミシンの説明情報を、格納した情報メモリと、
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置
と、
　
縫
　前記模様選択操作手段によって選択された縫製模様を縫製するために上下動する針棒と、
　前記針棒の設けられた近傍のスタートストップのための操作手段と、
　
前記縫製模様を表示器に表示するモードから
るモードに
　前記スタートストップのための操作手段より前記針棒から離れた位置に設けられ、前記複数の画面にわたるミシンの説明情報の画面を切換える頁切換え手段とを備え、
　前記切換え
操作
の操作
１０．
前記切換え操作手段を
に備
１１．前記模様選択操作手段と前記頁切換え手段とが兼用されていることを特徴とする請求項９、１０のいずれかに記載のミシンの情報表示装置。
１２．前記ミシンの異常が検出された場合、前記表示器を用いて前記異常に関する対処を表示することを特徴とする請求項４乃至６のいずれかに記載のミシンの情報表示装置。
１３．前記ミシンの異常を検出された場合、前記模様選択操作手段によって選択された縫製模様から前記異常に関する表示に切換えることを特徴とする請求項５、６、１２のいずれかに記載のミシンの情報表示装置。
１４．ミシンに関する情報を格納した情報メモリと、
　前記情報メモリに格納された複数の説明情報の１つを択一的に選択する選択手段と、
　前記ミシンに関する情報を表示する為の表示器と
、
　
縫
　前記表示器で、前記模様選択操作手段により選択された縫製模様を表示するミシンの情報
表示
　前記ミシンの異常を検出する検出手段と、
　前記ミシンに異常が検出された場合、異常に関する説明文と
説明文の理解を容易にするための
１５．前記ミシンの異常が検出された場合、前記表示器を用いて前記異常に関する対処を表示することを特徴とする請求項１４に記載のミシンの情報表示装置。
１６．ミシンに関わる情報を表示するための表示器と、
　ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも１つ以上に関わる説明文及び画像の情報を格納した情報メモリと、
　前記情報メモリに格納された情報を表示するために択一的に選択する選択手段とを備えるミシンの情報表示装置であって、
　前記選択手段によって選択された情報が表示器の多数画面にわたる場合、その画面を切換える画面切換え手段と、
　画面の切換え全体に関わる情
報及び前
位に関わる情報を
１７．
１６
１８．
　前記情報メモリに格納された複数の説明情報の１つを択一的に選択するとともに、その選択された説明情報に含まれる複数の副分類の１つを択一的に選択する選択手段と、
　前記選択手段で選択された副分類に属する情報をドットパターンで表示する為の表示器と、
　前記選択手段により選択された情報を情報メモリから読出し表示器に出力する表示制御装置と、
　縫製模様を選択する模様選択操作手段と、
　
前記縫製模様を表示器に表示するモードから
るモードに
、
　前記縫製模様を縫製する際の糸調子を設定するた
めの
　前記縫製模様を縫製する際の針振り
量を設
めの
　前記模様選択操作手段の操作により前記表示器で選択された縫製模様の形象を糸調子の設定状況及び針振り
量
１９．
１８
【発明の詳細な説明】
　【０００１】
　【発明の属する技術分野】
　本発明はミシンの使い方や模様縫いのためのミシン操作に関する情報を分類して格納した情報メモリと表示器とを備え、前記の情報を選択的に表示し得るようにしたミシンの情報表示装置に関する。
　【０００２】
　【従来の技術】
　最近の電子制御式ジグザグミシンにおいては、直線縫いやジグザグ縫いに加えて、ボタン穴かがり、ボタン付け、三重縫いやオーバーロックステッチなどのステッチ縫い、裁ち目かがり、文字やマークなどの模様縫いなど複数種類の縫製が可能になっている。
　【０００３】
　そして、この複数種類の縫製模様のうち所望の模様を選択したときに、その選択した模様の番号、名称、形象、その模様を縫製するために使用する押え足の種類などを表示器に表示させるようにしたものがある。
　【０００４】
　例えば、特開昭６２ー１０１２８３号公報には、ミシンに備えた縫目データメモリに記憶させた縫目データから所望の縫目を選択したときにはその選択した模様に対応する模様番号を液晶表示器に表示させ、また外部メモリとしてメモリカセットに記憶させた模様データから所望の模様を選択したときにはその模様の形象を液晶表示器に表示させるようにしたメモリカセットに格納された縫目模様の表示可能なミシンが記載されている。
　【０００５】
　【発明が解決しようとする課題】
　前記従来の電子制御式ジグザグミシンにおいて、選択した模様に関する情報、例えば選択した模様の名称、形象、押え足の種類などを表示するように構成されている。
　【０００６】
　しかし、模様を縫製するに際して、上糸の掛け方や下糸の巻き方やサイドカッターの取付け方などの一般的なミシンの使い方に関する情報が表示されるように構成されていない。
　【０００７】
　従って、例えば糸駒からの上糸を新たに掛けるときに、上糸の掛け方を知らない操作者特に初心者は、その都度使用説明書を取り出し、「上糸の掛け方」のページを開きその説明文を読みながら上糸を順々に掛装することになり、上糸掛け操作に多大な時間を要するという問題がある。
　【０００８】
　更に、ボタン穴かがりやボタン付けなどの複雑な作業が要求される模様を選択したときに、その縫い方が分からないときにも使用説明書を取り出し、所望の縫い方を説明したページを開くという作業が必要となり、模様を縫製するときにも多大な時間を要するという問題がある。
　【０００９】
　本発明の目的は、ミシンの使い方に関する一般的な情報を表示器に表示し得るようにしたミシンの情報表示装置を提供することである。
　【００１０】
　【課題を解決するための手段】
　本発明の請求項１記載のミシンの情報表示装置は、図１に示すように、複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、前記情報メモリに格納された複数の説明情報の１つを択一的に選択するとともに、その選択された説明情報に含まれる複数の副分類の１つを択一的に選択する選択手段と、前記選択手段で選択された副分類に属する情報をドットパターンで表示する為の表示器と、前記選択手段により選択された情報を情報メモリから読出し表示器に出力する表示制御装置と、縫製模様を選択する模様選択操作手段と、
前記縫製模様を表示器に表示するモードから
るモードに
　【００１１】
　従って、本発明の請求項１記載のミシンの情報表示装置においては、情報メモリは複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納する。選択手段は、前記情報メモリに格納された複数の説明情報の１つを択一的に選択するとともに、その選択された説明情報に含まれる複数の副分類の１つを択一的に選択する。表示器は、前記選択手段で選択された副分類に属する情報をドットパターンで表示する。表示制御装置は、前記選択手段により選択された情報を情報メモリから読出し表示器に出力する。模様選択操作手段は、縫製模様を選択する。切換え操作手段は
前記縫製模様を表示器に表示するモードから
るモードに
　【００１２】
　請求項２記載のミシンの情報表示装置は、上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも２つ以上の副分類からなるミシンの一般的な使い方に関する表示を行う表示器を備えている。
　【００１３】
　従って、請求項２記載のミシンの情報表示装置においては、表示器は、上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも２つ以上の副分類からなるミシンの一般的な使い方に関する表示を行う。
　【００１４】
　請求項３記載のミシンの情報表示装置は、ミシンの説明情報である縫製模様を設定するための表示とミシンの一般的な使い方に関する表示とを行う表示器を備え、表示器は、ミシンの説明情報である縫製模様を設定するための表示とミシンの一般的な使い方に関する表示とを行う。
　【００１５】
　請求項４記載のミシンの情報表示装置は、ミシンに備えられミシンの異常状態を表示する表示器を備え、表示器はミシンの異常状態とミシンの一般的な使い方とを表示する。
　【００１６】
　請求項５記載のミシンの情報表示装置は、ミシンに備えられミシンの説明情報である縫製模様を設定するための表示及び、前記ミシンの異常状態の表示を行う表示器を備え、表示器はミシンの説明情報である縫製模様を設定するための表示及び、前記ミシンの異常状態の表示を行う。
　【００１７】
　請求項６記載のミシンの情報表示装置は、前記使い方の為の操作手順の説明文と説明文の理解を容易にする為の画像と共に、その使い方の説明における頁の数に関わる表示を行う表示器を備え、表示器は、前記使い方の為の操作手順の説明文と説明文の理解を容易にする為の画像と共に、その使い方の説明における頁の数に関わる表示を行う。
　【００１８】
　請求項７記載のミシンの情報表示装置は、複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を、格納した情報メモリと、前記情報メモリに格納された複数の説明情報の１つを択一的に選択するとともに、その選択された説明情報に含まれる複数の副分類の１つを択一的に選択する選択手段と、前記選択手段で選択された副分類に属する情報をドットパターンで表示する為の表示器と、前記選択手段により選択された情報を情報メモリから読出し表示器に出力する表示制御装置と、縫製模様を選択する模様選択操作手段と、前記模様選択操作手段によって選択された縫製模様を縫製するために上下動する針棒と、前記針棒の近傍に設けられたスタートストップのための操作手段と、前記スタートストップのための操作手段より前記針棒から離れた位置に設けられ、
前記縫製模様を表示器に表示するモードから
るモードに
　【００１９】
　請求項７記載のミシンの情報表示装置においては、情報メモリは、複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、ミシンの説明情報を格納する。選択手段は、前記情報メモリに格納された複数の説明情報の１つを択一的に選択するとともに、その選択された説明情報に含まれる複数の副分類の１つを択一的に選択する。表示器は、前記選択手段で選択された副分類に属する情報をドットパターンで表示する。表示制御装置は、前記選択手段により選択された情報を情報メモリから読出し表示器に出力する。模様選択操作手段は縫製模様を選択する。針棒は前記模様選択操作手段によって選択された縫製模様を縫製するために上下動する。操作手段は、前記針棒の近傍でスタートストップのために操作される。切換え操作手段は前記スタートストップのための操作手段より前記針棒から離れた位置に設けられ、
前記縫製模様を表示器に表示するモードから
るモードに
　【００２０】
　請求項８記載のミシンの情報表示装置は、前記ミシンの説明情報が複数画面にわたるものであって、前記スタートストップのための操作手段より前記針棒から離れた位置に設けられ、前記複数の画面にわたるミシンの説明情報の画面を切換える頁切換え手段を備えている。
　【００２１】
　請求項８記載のミシンの情報表示装置においては、頁切換え手段が前記スタートストップのための操作手段より前記針棒から離れた位置に設けられ、前記複数の画面にわたるミシンの説明情報の画面を切換える。
　【００２２】
　請求項９記載のミシンの情報表示装置は、複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、複数の画面にわたるミシンの説明情報を、格納した情報メモリと、前記情報メモリに格納された複数の説明情報の１つを択一的に選択するとともに、その選択された説明情報に含まれる複数の副分類の１つを択一的に選択する選択手段と、前記選択手段で選択された副分類に属する情報をドットパターンで表示する為の表示器と、前記選択手段により選択された情報を情報メモリから読出し表示器に出力する表示制御装置
と、縫
前記縫製模様を表示器に表示するモードから
るモードに
　【００２３】
　請求項９記載のミシンの情報表示装置においては、情報メモリは複数種類に分類されたミシンの説明情報の１つであるミシンの一般的な使い方の説明情報であって、そのミシンの一般的な使い方の説明情報は複数の副分類に分類され、その複数の副分類の各々には、使い方の為の操作手順の説明文と説明文の理解を容易にする為の画像との情報を含む、複数の画面にわたるミシンの説明情報を、格納する。選択手段は、前記情報メモリに格納された複数の説明情報の１つを択一的に選択するとともに、その選択された説明情報に含まれる複数の副分類の１つを択一的に選択する。表示器は、前記選択手段で選択された副分類に属する情報をドットパターンで表示する。表示制御装置は、前記選択手段により選択された情報を情報メモリから読出し表示器に出力する。模様選択操作手段は、前記縫製模様を選択する。針棒は、前記模様選択操作手段によって選択された縫製模様を縫製するために上下動する。操作手段は、前記針棒の設けられた近傍でスタートストップのために操作される。切換え操作手段は、
前記縫製模様を表示器に表示するモードから
るモードに
操作
　【００２４】
　請求項１０記載のミシンの情報表示装置は、
前記切換え操作手段を
に備
　【００２５】
　請求項１２記載のミシンの情報表示装置は、前記ミシンの異常が検出された場合、前記異常に関する対処を表示する表示器を備え、その表示器は前記ミシンの異常が検出された場合、前記異常に関する対処を表示する。
　【００２６】
　請求項１３記載のミシンの情報表示装置は、前記ミシンの異常を検出された場合、前記模様選択操作手段によって選択された縫製模様から前記異常に関する表示に切換える手段を備え、その手段は前記ミシンの異常を検出された場合、前記模様選択操作手段によって選択された縫製模様から前記異常に関する表示に切換える。
　【００２７】
　請求項１４記載のミシンの情報表示装置は、ミシンに関する情報を格納した情報メモリと、前記情報メモリに格納された複数の説明情報の１つを択一的に選択する選択手段と、前記ミシンに関する情報を表示する為の表示器と
、縫
説明文の理解を容易にするための
　【００２８】
　請求項１４記載のミシンの情報表示装置においては、情報メモリは、ミシンに関する情報を格納する。選択手段は、前記情報メモリに格納された複数の説明情報の１つを択一的に選択する。表示器は、前記ミシンに関する情報を表示する。模様選択操作手段は前記縫製模様を選択する。前記表示器は、前記模様選択操作手段により選択された縫製模様を表示する。検出手段はミシンの異常を検出する。制御手段は、前記ミシンに異常が検出された場合、異常に関する説明文と
説明文の理解を容易にするための
　【００２９】
　請求項１５記載のミシンの情報表示装置は、前記ミシンの異常が検出された場合、前記表示器を用いて前記異常に関する対処を表示するように制御する制御手段を備え、制御手段は前記ミシンの異常が検出された場合、前記表示器を用いて前記異常に関する対処を表示するように制御する。
　【００３０】
　請求項１６記載のミシンの情報表示装置は、ミシンに関わる情報を表示するための表示器と、ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも１つ以上に関わる説明文及び画像の情報を格納した情報メモリと、前記情報メモリに格納された情報を表示するために択一的に選択する選択手段と、前記選択手段によって選択された情報が表示器の多数画面にわたる場合、その画面を切換える画面切換え手段と、画面の切換え全体に関わる情
報及び前
位に関わる情報を
　【００３１】
　請求項１６記載のミシンの情報表示装置においては、情報メモリはミシンに関わる情報を表示するための表示器と、ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも１つ以上に関わる説明文及び画像の情報を格納する。選択手段は、前記情報メモリに格納された情報を表示するために択一的に選択する。画面切換え手段は、前記選択手段によって選択された情報が表示器の多数画面にわたる場合、その画面を切換える。画面情報表示手段は、画面の切換え全体に関わる情
報及び前
位に関わる情報
る。
　【００３２】
　【００３３】
　
請
１７
　【００３４】
　請求項
１８
前記縫製模様を表示器に表示するモードから
るモードに
めの
量を設
めの
　【００３５】
　請求項
１８
前記縫製模様を表示器に表示するモードから
るモードに
量を設
　【００３６】
　請求項
１９
　【００３７】
　【発明の実施の形態】
　以下、本発明の実施の形態を図面に基いて説明する。図２は本発明を適用した電子制御式ジグザグミシンを示すものである。
　【００３８】
　このミシンＭのアーム部１内には針棒上下駆動装置と針棒揺動装置及び天秤駆動装置とが組込まれ、ベッド部２内には布送り用の送り歯の上下動のための上下送り駆動装置と送り歯の前後動のための前後送り駆動装置とが組込まれており、これら針棒揺動駆動装置と前後送り駆動装置とは制御装置ＣＩで制御されるパルスモータ４６・４７（図５参照）で夫々駆動され、針棒上下駆動装置と天秤駆動装置及び上下送り駆動装置とはミシンモータ（直流モータ）４８（図５参照）で駆動される。尚、符号５は針棒、符号６は縫針、符号７は押え棒、符号８は押え足である。
　【００３９】
　このミシンＭのアーム部１には、縦１２０ドット×横６４０ドットで構成される大型の液晶ディスプレイ９、縫製運転を開始或いは停止させるためのスタート／ストップスイッチ１０、上糸の糸調子を強い状態から弱い状態に互って調節可能な上糸調子ダイヤル１１、下糸ボビン２６に下糸を巻装するための下糸巻き装置１２が配設されている。図３に示すように前記上糸調子ダイヤル１１にはその調節範囲の略中央位置つまり自動糸調子に設定される位置に切欠部が形成され、この切欠部により作動する自動糸調子スイッチ３３が設けられ、この自動糸調子スイッチ３３は上糸調子ダイヤル１１を「自動」に設定することにより作動（ＯＮ状態）したときに自動モードのスイッチ信号を出力する。更に、上糸調子ダイヤル１１のダイヤル軸１３にはポテンショメータからなる糸調子調節ボリューム３４が連結され、糸調子調節ボリューム３４からは糸調子信号を出力する。
　【００４０】
　脚柱部３の機枠４には、縫製する模様に関する模様データ（模様情報）と模様の縫製に伴うミシン操作を説明する縫い方データ（縫い方情報）とミシンの一般的な使い方に関する使い方データ（使い方情報）とを順次サイクリックに切換えて選択するメニューキー１４、縫い方データや使い方データを表示しているときに次の項目番号を選択するインクリースキー１５及び１つ前の項目番号を選択するデクリースキー１６、模様データを表示させているときには次の模様データを選択し或いは縫い方データや使い方データの項目データを表示しているときにその項目データが複数のページデータで構成されている場合には次のページデータを選択する模様／ページキー１７、縫製速度を低速から高速に互って変更し得るスピードボリューム１８、加工布の送り量を任意に調節する送り調節ボリューム１９、縫針６の揺動量を任意に調節する針揺動調節ボリューム２０、所望の模様を選択するテンキーからなる模様選択スイッチ２１が設けられている。
　【００４１】
　更に、ベッド部２の機枠４にはボタン付けやつくろい縫いなどのときに送り歯を下げた状態に保持するドロップフィードレバー２２、フットコントローラ２３を接続するためのジャック２４が設けられている。
　【００４２】
　図２・図４に示すように、滑り板２５の直ぐ下方には透明な合成樹脂製の下糸ボビン２６を収容する内釜２７が設けられ、その内釜２７の回りを回動可能に外釜２８が設けられている。
　【００４３】
　また、滑り板２５の下面には下糸ボビン２６の半径方向に一列に配設された複数の発光素子及び受光素子からなる公知の下糸残量検出装置３０が設けられており、下糸ボビン２６の直ぐ下方で内釜２７の内面には発光素子の光を受光素子に向かって反射するための反射板２９が設けられている。そして、下糸残量検出装置３０は、下糸ボビン２６に巻装された下糸の残量に応じて発光素子から発射される発射光を遮る度合いにより下糸残量信号を出力する。
　【００４４】
　次に、ミシンＭの制御系の全体構成について、図５・図６のブロック図に基いて説明する。
　【００４５】
　このミシンＭの制御系はミシン制御部ＭＣと表示制御部ＤＣとで構成され、ミシン制御部ＭＣにはＣＰＵ（中央演算装置）やＲＯＭ（リード・オンリ・メモリ）やＲＡＭ（ランダム・アクセス・メモリ）などからなる制御装置Ｃ１を備え、表示制御部ＤＣにはＣＰＵ５２やＲＯＭ５３〜５７やＲＡＭ５８などからなる制御装置Ｃ２を備えている。
　【００４６】
　前記ミシン制御部ＭＣは既存の電子制御式ジグザグミシンと同様であるので簡単に説明する。制御装置Ｃ１には入力信号として次のようなスイッチなどが接続されている。
　【００４７】
　起動及び停止信号を出力するスタート／ストップスイッチ１０、模様を選択する模様選択スイッチ２１、Ａ／Ｄ変換器３８を介して設定速度信号を出力するスピードボリューム１８、Ａ／Ｄ変換器３９を介して送り量設定信号を出力する送り調節ボリューム１９、Ａ／Ｄ変換器４０を介して針揺動量設定信号を出力する針揺動調節ボリューム２０、針棒上下運動の１サイクル毎に針棒５が最高位置に達したときにフォトインタラプタ等で検出しタイミング信号を出力するタイミング信号発生器３１、ミシンモータ４８の１回転毎に速度信号を出力するスピードセンサ３２、Ａ／Ｄ変換器４１を介して下糸残量信号を出力する下糸残量検出装置３０、上糸調子ダイヤル１１を「自動」に設定してあるときに自動モード信号を出力する自動糸調子スイッチ３３，Ａ／Ｄ変換器４２を介して糸調子調節信号を出力する糸調子調節ボリューム３４、押え棒７を上下に駆動させる布押えテコ（図示略）に連結され押え棒７の上昇位置と下降位置とに応じて押え棒位置信号を出力するプレッサーフットスイッチ３５、ドロップフィードレバー２２に連結され送り歯不作動信号を出力するドロップフィードスイッチ３６、フットコントローラ２３をセットしたときにはフットコントローラ２３を押圧操作する毎に起動及び停止信号を出力するフットコントローラスイッチ３７などが接続されている。
　【００４８】
　更に、その制御装置Ｃ１には針棒揺動用パルスモータ４６を駆動するパルスモータドライバ４３、前後送り用パルスモータ４７を駆動するパルスモータドライバ４４、ミシンモータ４８を駆動するミシンモータドライバ４５が接続されている。
　【００４９】
　制御装置Ｃ１のＲＯＭには、多数の縫目模様の夫々について各縫動作毎の針棒５の揺動量と送り歯の送り量及び送り方向とに関するデータを模様番号と対応させて予め格納された模様データ、選択された模様データと送り調節ボリューム１９からの送り量設定信号と針揺動調節ボリューム２０からの針揺動量設定信号とに基いて針棒揺動用パルスモータ４６と前後送り用パルスモータ４７とを制御するための制御プログラム、スピードボリューム１８からの設定速度信号とスピードセンサ３２からの速度信号とに対応して、またスタート／ストップスイッチ１０の操作に応じてミシンモータ４８の駆動を制御する制御プログラムなどが記憶されている。
　【００５０】
　制御装置Ｃ１のＲＡＭには、ＣＰＵで演算処理した結果を一時的に記憶する各種メモリに加えて、フットコントローラ２３が接続されたときにセットするフットコントローラフラグ、ミシンモータ４８に駆動信号が出力されているにも拘わらずミシンモータ４８が回転しないときや操作者がミシン操作を誤ったときなどにおいて警告の有無を指示するデータとその警告内容を示すデータとを対にして記憶するアラームデータメモリなどが設けられている。
　【００５１】
　次に、本発明に係わる表示制御を行う表示制御部ＤＣにおいて説明する。
　【００５２】
　表示制御部ＤＣは、インターフェイス４９と制御装置Ｃ２とメニューキー１４とインクリースキー１５とデクリースキー１６と模様／ページキー１７と表示機構Ｄとから構成され、図示のように接続されている。
　【００５３】
　表示機構Ｄはディスプレイコントローラ５０と液晶ディスプレイ９とから構成され、ディスプレイコントローラ５０は各入力キー１４〜１７の操作により選択された所望の表示データを制御装置Ｃ２から受け、その表示データを表示用ＲＡＭに書き込むと同時に、その表示データに応じた表示信号をディスプレイ９に出力する。
　【００５４】
　制御装置Ｃ２は、図６に示すように、ＣＰＵ５２とそのＣＰＵ５２にデータバス等を介して接続され各種の制御プログラムを格納したＲＯＭ５３，ＲＡＭ５８、各種の表示データを格納したＲＯＭ５４・５５・５６、警告データを格納したＲＯＭ５７とから構成されている。
　【００５５】
　ＲＯＭ５３には、後述の表示制御の制御プログラム、表示機構Ｄを制御する制御プログラム、後述の模様表示モードが選択されたときに針揺動調節ボリューム２０からの針揺動量設定信号に基いてその設定信号を数値に変換するプログラム、送り調節ボリューム１９からの送り量設定信号に基いてその設定信号を数値に変換するプログラム、糸調子ダイヤル１１からの糸調子調節信号に基いてその調節状態を矢印で表示させるためのプログラム、下糸残量検出装置３０からの下糸残量信号に基いて下糸量を表示させるためのプログラム、図１３（ａ）に示す折れ線によるジグザグ縫目の形象、図１３（ｂ）に示す破線で示す直線縫い縫目の形象、「糸調子」、「下糸量」を表示するデータ及び糸調節状態のパターンデータと下糸量を表示する糸駒のパターンデータなどが記憶されている。
　【００５６】
　ＲＯＭ５４には複数の模様の模様データ（模様情報）の夫々に関して、項目番号、縫目模様の名称、縫目模様の形象、使用する押え足の種類を前記ディスプレイ９の１画面（以下、１ページという）に対応にして各ドットを「１」或いは「０」の数値で記憶している。その縫目模様の名称を項目番号を付して次に列挙する。
　【００５７】
　１．ボタン穴かがり、２．直線縫い、３．ジグザグ縫い、４．チェーンステッチ、５．三重縫い、６．飾りステッチ、７．ファゴティング、８．オーバーロックステッチ、９．ブラインドステッチ、１０．シェルステッチ、１１．スカラップステッチ、１２．縁かがり縫い、１３．かんどめ縫い、‥などである。
　【００５８】
　ＲＯＭ５５には複数の縫い方の縫い方データ（縫い方情報）の夫々に関して、項目番号、縫い方の名称、縫い方の説明文（文字情報）、説明文を理解し易くするための絵（画像情報）及びページ番号（１／１や１／３など）を項目番号毎に分類して前記ディスプレイ９の１画面に対応して各ドットを「１」或いは「０」の数値で記憶している。尚、縫い方の説明文が長く１ページ以上のときには複数のページに分割して記憶している。縫い方の名称を項目番号を付して次に列挙する。
　【００５９】
　１．ボタン穴かがり、２．直線縫い、３．ジグザグ縫い、４．チェーンステッチ、５．三重縫い、６．飾りステッチ、７．ファゴティング、８．オーバーロックステッチ、９．ブラインドステッチ、１０．シェルステッチ、１１．スカラップステッチ、１２．縁かがり縫い、１３．かんどめ縫い、１４．ファスナー付け、１５．ボタン付け、１６．まつり縫い、１７．おとしミシン、１８．パッチワーク、１９．裁ち目かがり‥などである。
　【００６０】
　ＲＯＭ５６には複数の使い方の使い方データ（使い方情報）の夫々に関して、項目番号、使い方の名称、使い方の説明文、説明文を理解し易くするための絵及びページ番号（１／１や１／３など）を項目番号毎に分類して前記ディスプレイ９の１ページに対応して各ドットを「１」或いは「０」の数値で記憶している。尚、使い方の説明文が長く１ページ以上のときには複数のページに分割して記憶している。使い方の名称を項目番号を付して次に列挙する。
　【００６１】
　１．上糸のかけ方、２．下糸の巻き方、３．下糸の引き出し方、４．糸調子ダイヤルの調節、５．押え足の交換の仕方、６．縫い針の取り換え方、７．サイドカッターの取付け方、８．ランプの取換え方、９．ミシンの手入れと注油、‥などである。
　【００６２】
　ＲＯＭ５７には複数の警告の警告データ（警告情報）の夫々に関して、警告の内容、警告を解除するための説明文、説明文を理解し易くするための絵を警告の内容毎に分類して前記ディスプレイ９の１ページに対応して各ドットを「１」或いは「０」の数値で記憶している。
　【００６３】
　警告の内容と警告を解除するための説明文とを次に列挙する。
　【００６４】
＜モータがロックされました！！＞
原因を順次点検して下さい。
・縫い針が曲がったり、折れていませんか？
・釜に糸が絡んでいませんか？
・送り歯の回りにゴミがたまっていませんか？
＜押え足が上がっているのでミシンをスタートできません！！＞
・押え足を下げてから再度スタート／ストップスイッチを操作して下さい
＜送り歯が下がっているのでミシンをスタートできません！！＞
・この模様を縫うときには送り歯で布送りをします
・ドロップフィードレバーを右にスライドさせ、再度スタート／ストップスイッチを操作して下さい。
　【００６５】
＜フットコントローラを使用中！！＞
・フットコントローラを使用しているので、フットコントローラでミシンの起動及び停止をして下さい。などが表示される。
　【００６６】
　ＲＡＭ５８には、メニューキー１４の操作により模様データをディスプレイ９に表示させる模様表示モードと縫い方データをディスプレイ９に表示させる縫い方表示モードと使い方データをディスプレイ９に表示させる使い方表示モードとが順次サイクリックに切換えられて選択されている表示モードを記憶する表示モードメモリ、縫い方データ或いは使い方データを表示するときの項目番号を指示する項目番号カウンタ、縫い方データ或いは使い方データの項目データが複数のページで構成されているときに表示するページを指示する表示ページカウンタ、ＣＰＵ５２で演算処理した結果を一時的に記憶する各種メモリが設けられられている。
　【００６７】
　次に、ミシンの制御部ＤＣの制御装置Ｃ２で行われる表示制御のルーチンについて、図７・図８のフローチャートに基いて説明する。
　【００６８】
　電源スイッチ（図示略）が投入されるとこの制御が開始されステップＳ１（以下、単にＳ１で表し、他のステップも同様に扱う）へ移行し、表示モードメモリにおいて模様表示モードが設定され、項目番号カウンタと表示ページカウンタとをクリアするなどの初期設定が実行されてＳ２へ移行する。Ｓ２では，ＲＯＭ５４の模様データと項目番号カウンタのデータとに基いて模様データの第１項目のデータがディスプレイ９に表示される。Ｓ３では，ＲＯＭ５３から、図１３（ａ）に示す折れ線によるジグザグ縫目の形象、図１３（ｂ）に示す破線で示す直線縫い縫目の形象、「糸調子」、「下糸量」などのパターンデータが読込まれてディスプレイ９に表示される。
　【００６９】
　Ｓ４では、針揺動調節ボリューム２０からの針揺動量設定信号に基いて振り幅量データが読込まれ、送り調節ボリューム１９からの送り量設定信に基いて送りピッチ量データが読込まれ、糸調子ダイヤル１１からの糸調子調節信号に基いて糸調子データが読込まれ、下糸残量検出装置３０からの下糸残量信号に基いて下糸量データが読込まれる。Ｓ５において、今読込まれた各データに基いてディスプレイ９の所定の表示位置に表示される。例えば、図９に示すように、項目番号「１」、縫目模様の名称「ボタン穴かがり」、縫目模様の形象、使用する押え足の種類がディスプレイ９に表示されると共に、振り幅量の数値「５」、送りピッチの数値「３」、糸調子調節状態（矢印の表示位置）、下糸量が夫々ディスプレイ９の所定の表示位置に表示される。尚、上糸調子ダイヤル１１を「自動」に設定のしたときには、自動糸調子スイッチ３３からの自動モード信号により糸調子状態として「ＡＵＴＯ」が表示される。
　【００７０】
　ここで、次の縫目模様を表示させるために模様／ページキー１７を操作したとき、Ｓ６において操作されたのはメニューキー１４か否かの判定でＮｏとなり、次のＳ７でＹｅｓと判定されてＳ８へ移行する。
　【００７１】
　Ｓ８では、表示モードメモリのデータに基いて模様表示モードか否かが判定され、模様表示モードのときにはＳ９へ移行する。Ｓ９では、項目番号カウンタのデータがインクリメントされ、Ｓ１０において項目番号カウンタで指示する項目に対応する模様データが表示され、Ｓ１１へ移行する。
　【００７２】
　Ｓ１１では、制御装置Ｃ１のＲＡＭのアラームデータメモリのデータが検索される。そして、次のＳ１２ではアラームデータメモリの警告の有無を指示するデータに基いて警告表示をする必要が有るか否かが判定され、警告表示の必要がないときにはＳ１３へ移行するＳ１３では、模様表示モードか否かが判定され、模様表示モードのときにはＳ１４へ移行する。Ｓ１４及びＳ１５は前記Ｓ４及びＳ５と同様であり、振り幅量や送りピッチなどが変更されたときにはその変更後の最新の設定状態がディスプレイ９に表示され、Ｓ６に戻る。尚、Ｓ１３でＮｏと判定されたときにはＳ６へ戻る。
　【００７３】
　次に、縫い方データを表示させるためにメニューキー１４を操作したときにはＳ６でＹｅｓと判定されてＳ１６へ移行する。
　【００７４】
　Ｓ１６では、項目番号カウンタと表示ページカウンタとがクリアされる。Ｓ１７では、表示モードメモリのデータに基いて、次の表示モードが設定される。つまり、模様表示モードのときには次の縫い方表示モードが設定され、縫い方表示モードのときには次の使い方モードが設定され、使い方表示モードのときには次の模様表示モードが設定される。
　【００７５】
　Ｓ１８では、模様表示モードか否かが判定され，ＮｏのときにはＳ１９へ移行し，ＲＯＭ５５の縫い方データ或いはＲＯＭ５６の使い方データに基いて、現在選択されている表示モード（縫い方表示モード或いは使い方表示モード）に対応する縫い方データ或いは使い方データの第１項目の第１ページのデータが表示され、Ｓ１１〜Ｓ１５が実行されて、Ｓ６に戻る。例えば、縫い方表示モードが選択されているときには、図１０に示すように、項目番号「１」、縫い方の名称「タン穴かがり」、縫い方の説明文、その説明を理解し易くするための絵及びページ番号が表示される。また、使い方表示モードが選択されているときには、図１１に示すように、項目番号「１」、使い方の名称「上糸の掛け方」、使い方の説明文、その説明を理解し易くするための絵及びページ番号が表示される。
　【００７６】
　縫い方表示モード或いは使い方表示モードが選択されているときに、次の項目のデータを表示させるためにインクリースキー１５を操作したときには、Ｓ６〜Ｓ７を経てＳ２０でＹｅｓと判定されてＳ２１へ移行する。
　【００７７】
　Ｓ２１では、模様表示モードか否かが判定され、縫い方表示モード或いは使い方表示モードが選択されているときにはＳ２２へ移行する。Ｓ２２において、項目番号カウンタがインクリメイトされ、Ｓ２３では表示ページカウンタがクリアされる。Ｓ２４では、現在選択されている表示モード（縫い方表示モード或いは使い方表示モード）に対応する縫い方データ或いは使い方データの項目番号カウンタで指示する項目データの第１ページのデータが表示され、Ｓ１１〜Ｓ１５が実行され、Ｓ６に戻る。例えば、縫い方表示モードが選択されているときに「１．ボタン穴かがり」が表示されているときには次の「２．直線縫い」が表示され、「２．直線縫い」が表示されているときには次の「３．ジグザグ縫い」が表示され、以下同様にして項目番号や縫い方の名称などが表示される。また、使い方表示モードが選択されているときに「１．上糸の掛け方」が表示されているときには次の「２．下糸の巻き方」が表示され、「２．下糸の巻き方」が表示されているときには次の「３．下糸の引き出し方」が表示され、以下同様にして項目番号や使い方の名称などが表示される。
　【００７８】
　縫い方表示モード或いは使い方表示モードが選択されているときに、１つ前の項目のデータを表示させるためにデクリースキー１６を操作したときには、Ｓ６〜Ｓ７・Ｓ２０を経てＳ２５でＹｅｓと判定されてＳ２６へ移行する。
　【００７９】
　Ｓ２６では、模様表示モードか否かが判定され、縫い方表示モード或いは使い方表示モードが選択されているときにはＳ２７へ移行する。Ｓ２７において、項目番号カウンタがデクリメントされＳ２３へ移行し、Ｓ２３〜Ｓ２４・Ｓ１１〜Ｓ１５を経てＳ６に戻る。即ち、インクリースキー１５を操作したときと逆の順で１つ前の項目データの第１ページが表示される。尚、Ｓ２１或いはＳ２６でＹｅｓと判定されたときにはＳ１１へ移行する。
　【００８０】
　縫い方表示モード或いは使い方表示モードが選択されているときに、表示されている項目データが複数のページで構成されている場合に、次のページのページデータを表示させるために模様／ページキー１７を操作したときには、Ｓ６を経てＳ７でＹｅｓと判定されてＳ８へ移行する。Ｓ８ではＮｏと判定されてＳ２８へ移行する。Ｓ２８では、表示ページカウンタのデータに基いて、次のページデータは有るか否かが判定され、次のページデータが有るときにはＳ２９へ移行する。Ｓ２９では、表示ページカウンタがインクリメントされ、Ｓ３０では表示ページカウンタで指示されるページデータが表示され、Ｓ１１へ移行する。
　【００８１】
　また、メニューキー１４が操作され、Ｓ６でＹｅｓと判定されて、Ｓ１６〜Ｓ１７で表示モードメモリにおいて模様表示モードが選択されたときには、Ｓ１８においてＹｅｓと判定されてＳ３１へ移行する。Ｓ３１〜Ｓ３４は最新の振り幅や送りピッチなどを表示させるルーチンであり、Ｓ２〜Ｓ５と同様であるのでその説明を省略する。
　【００８２】
　一方、制御装置Ｃ１によりミシンモータ４８やその他の制御が行われているときに、例えばスタート／ストップスイッチ１０を操作してミシンモータ４８を駆動させたにも拘わらずミシンモータ４８が回転駆動されない場合には、制御装置Ｃ１は、タイミング信号発生器３１からのタイミング信号とスピードセンサ３２からの速度信号とに基いてミシンモータ４８がロックしたと判断し、アラームデータメモリに警告の有無を指示するデータと警告内容を示すデータとを書き込む。このとき、Ｓ１２において，Ｙｅｓと判定されてＳ３５へ移行する。
　【００８３】
　Ｓ３５では、アラームデータメモリの警告内容を示すデータが読み出される。Ｓ３６では、表示画面を切り換えて，ＲＯＭ５７の警告データに基いて警告内容を示すデータに対応する警告内容の表示データがディスプレイ９に表示され、Ｓ３７において警告は解除されたか否かが判定され、解除されていないときにはＳ３７が繰り返される。例えば、図１２に示すように、警告の内容「モータがロックされました！！」とその警告を解除するための説明文とが表示される。そして、操作者はその説明文に基いてモータがロックした原因を除き、再度スタート／ストップスイッチ１０を操作したときに、制御装置Ｃ１はアラームデータメモリから警告を指示するデータとをクリアするので、警告が解除されＳ３７でＹｅｓと判定されてＳ３８へ移行する。Ｓ３８では、表示モードメモリの表示モードと項目番号カウンタと表示ページのカウンタとのデータに基いて、警告内容を表示させる直前に表示していたデータを表示し、Ｓ１３へ移行する。
　【００８４】
　更に、Ｓ１２・Ｓ３５〜Ｓ３６に関して他の警告内容の表示例を説明する。
　【００８５】
　押え足８を上げた状態でスタート／ストップスイッチ１０を操作してミシンモータ４８を駆動させた場合には、制御装置Ｃ１は、プレッサーフィットスイッチ３５からの針棒位置信号とスタート／ストップスイッチ１０からの起動・停止信号とに基いてアラームデータメモリにその警告状態を指示するデータと警告内容を示すデータとを書き込むことにより、警告の内容「押え足が上がっているのでミシンをスタート出来ません！！」とその警告を解除するための説明文とが表示される。
　【００８６】
　また、送り歯を下げた状態で布送りを伴う模様を選択してスタート／ストップスイッチ１０を操作した場合には、制御装置Ｃ１は、ドロップフィードスイッチ３６からの送り歯不作動信号とスタート／ストップスイッチ１０からの起動・停止信号とに基いてアラームデータメモリにその警告状態を指示するデータと警告内容を示すデータとを書き込むことにより、警告の内容「送り歯が下がっているのでミシンをスタートできません！！」とその警告を解除するための説明文とが表示される。
　【００８７】
　以上説明したように、模様に関するデータ或いは縫い方に関するデータ或いはミシンの使い方に関する一般的なインストラクションデータがキー１４〜１７操作により選択されてディスプレイ９に表示されるので、ミシンの操作性及び作業能率が向上する。
　【００８８】
　【発明の効果】
　本発明に請求項１に係わるミシンの情報表示装置によれば、以上説明したように、選択手段による情報の選択により、ミシンの使い方に関する一般的なインストラクション情報が表示器に表示されるので、ミシンの使い方に関する情報をその都度使用説明書を取り出して捜さなくてもよいので、ミシンの操作性及び作業能率が向上する。その表示器で縫製模様を表示するので、別途の表示器を備える必要が無い。
　【００８９】
　請求項２記載のミシンの情報表示装置においては、上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の少なくとも２つ以上について、情報が表示器に表示されるので、ミシンの使い方に関する情報をその都度使用説明書を取り出して捜さなくてもよいので、ミシンの操作性及び作業能率が向上する。
　【００９０】
　請求項３記載のミシンの情報表示装置によれば、ミシンの説明情報である縫製模様を設定するための表示とミシンの一般的な使い方に関する表示とが共通の表示器によって表示されるので、別々に表示器を備えた場合に比べ構成の簡素化が図れる。
　【００９１】
　請求項４記載のミシンの情報表示装置によれば、ミシンの異常状態の表示とミシンの一般的な使い方とが共通の表示器に表示されるので、別々に表示器を備えた場合に比べ構成の簡素化が図れる。
　【００９２】
　請求項５記載のミシンの情報表示装置によれば、ミシンの説明情報である縫製模様を設定するための表示、前記ミシンの異常状態の表示、並びに、ミシンの一般的な使い方の表示が共通の表示器によって表示されるので、個別に表示器を備えた場合に比べ構成の簡素化が図れる。
　【００９３】
　請求項６記載のミシンの情報表示装置によれば、前記使い方の為の操作手順の説明文と説明文の理解を容易にする為の画像と共に、その使い方の説明における頁の数に関わる表示を行うので、使い方の説明の画面が複数のページに分割されていても正確にその内容を把握できる。
　【００９４】
　請求項７記載のミシンの情報表示装置によれば、選択手段による情報の選択により、ミシンの使い方に関する一般的なインストラクション情報が表示器に表示されるので、ミシンの使い方に関する情報をその都度使用説明書を取り出して捜さなくてもよいので、ミシンの操作性及び作業能率が向上する。また、針棒から離れた位置にて操作が行なわれるのでその操作が安全である。
　【００９５】
　請求項８記載のミシンの情報表示装置によれば、前記ミシンの説明情報が複数画面にわたるものであって、前記スタートストップのための操作手段より前記針棒から離れた位置にて画面の切換え操作が行なわれ安全である。
　【００９６】
　請求項９記載のミシンの情報表示装置によれば、選択手段による情報の選択により、ミシンの使い方に関する一般的なインストラクション情報が表示器に表示されるので、ミシンの使い方に関する情報をその都度使用説明書を取り出して捜さなくてもよいので、ミシンの操作性及び作業能率が向上する。その表示器で縫製模様を表示するので、別途の模様表示用の表示器を備える必要が無い。更に、前記ミシンの説明情報が複数画面にわたるものであって、前記スタートストップのための操作手段より前記針棒から離れた位置にて画面の切換え操作が行なわれ安全である。
　【００９７】
　請求項１０記載のミシンの情報表示装置によれば、
前記切換え操作手段を
に設
　【００９８】
　請求項１２記載のミシンの情報表示装置によれば、前記ミシンの異常が検出された場合、前記異常に関する対処を表示するので、ミシンの使用者は迅速に対応することができる。また、異常対策表示用の表示器を別途設ける必要も無い。
　【００９９】
　請求項１３記載のミシンの情報表示装置によれば、前記ミシンの異常を検出された場合、前記模様選択操作手段によって選択された縫製模様から前記異常に関する表示に切換えるので、ミシンの使用者は迅速にその異常に気付くことができ、異常表示用の表示器を別途設ける必要も無い。
　【０１００】
　請求項１４記載のミシンの情報表示装置によれば、異常に関する説明文と
説明文の理解を容易にするための
　【０１０１】
　請求項１５記載のミシンの情報表示装置によれば、前記ミシンの異常が検出された場合、前記表示器を用いて前記異常に関する対処を表示するように制御するので、ミシンの使用者は迅速に対応することができる。また、異常対策表示用の表示器を別途設ける必要も無い。
　【０１０２】
　請求項１６記載のミシンの情報表示装置によれば、ミシンに関わる情報を表示するための表示器と、ミシンの上糸の掛け方、下糸の巻き方、下糸の引き出し方、糸調子ダイヤルの調節の仕方、押え足の交換の仕方、縫針の取り換え方、サイドカッターの取付け方、ランプの取り付け方、ミシンの手入れと注油の仕方等の副分類のうち、少なくとも１つ以上に関わる説明文及び画像の情報について、その情報に関わる画面の切換え全体に関わる情
報及び前
位に関わる情報を
る。
　【０１０３】
　【０１０４】
　
請
１７
　【０１０５】
　請求項
１８
　【０１０６】
　請求項
１９
【図面の簡単な説明】
　【図１】
　本発明の構成を示す機能ブロック図
　【図２】
　本発明の実施の形態の電子制御式ジグザグミシンの斜視図
　【図３】
　本発明の実施の形態の糸調子ダイヤルで設定された糸調子信号を出力する構成を説明する説明図
　【図４】
　本発明の実施の形態の水平釜及び下糸ボビンの要部縦断説明図
　【図５】
　本発明の実施の形態のミシンの制御系のブロック図
　【図６】
　本発明の実施の形態の表示制御の制御装置のブロック図
　【図７】
　本発明の実施の形態の表示制御のルーチンのフローチャート
　【図８】
　本発明の実施の形態の表示制御のルーチンのフローチャート
　【図９】
　本発明の実施の形態の模様データの表示例を示す図
　【図１０】
　本発明の実施の形態の縫い方データの表示例を示す図
　【図１１】
　本発明の実施の形態の使い方データの表示例を示す図
　【図１２】
　本発明の実施の形態の警告データの表示例を示す図
　【図１３】
　本発明の実施の形態のディスプレ上の縫い目を示す図
　【符号の説明】
　Ｍ　　　　ミシン
　９　　　　液晶ディスプレイ
１４　　　　メニューキー
１５　　　　インクリースキー
１６　　　　デクリースキー
１７　　　　模様／ページキー
５２　　　　ＣＰＵ
５３〜５７　ＲＯＭ
　Ｄ　　　　表示機構
Ｃ２　　　　制御装置